【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報を変動表示する識別情報表示手段と、
前記識別情報の変動表示に伴って遊技演出を実行可能な遊技演出実行手段と、
前記識別情報の変動表示の結果が特定結果となると特別遊技を実行する特別遊技実行手段と、を備えた遊技機であって、
遊技演出の演出態様として、特定演出態様を含む複数の演出態様を有すると共に、前記複数の演出態様は表示態様が異なる演出態様とされ、
前記特定演出態様を実行するかどうかを決定する実行判定を行う特定演出態様判定手段と、
前記特定演出態様が実行された場合に、前記特定演出態様を他の演出態様に移行するかを決定する移行判定を行う移行判定手段と、を備え、
前記特定演出態様を実行中の期間において、移行判定を行わない非移行期間と、移行判定を行う移行期間と、を有する
ことを特徴とする遊技機。
【請求項２】
前記特定演出態様を実行後の所定期間は、移行判定を行わない非移行期間とされ、
前記非移行期間の経過後は、移行判定を行う移行期間とされることを特徴とする請求項１に記載の遊技機。
【請求項３】
所定条件の成立に基づいて取得した取得情報を、保留として記憶可能な取得情報記憶手段と、
前記所定条件の成立に基づいて当否判定を行う当否判定手段と、
前記所定条件の成立に基づいて事前判定を行う事前判定手段と、備え、
前記特別遊技実行手段は、前記当否判定手段による当否判定の結果が当りであると前記特別遊技を実行するものであって、
前記当否判定手段は、前記識別情報の変動表示を行う際に前記取得情報についての当否判定を行うものとされ、
前記事前判定手段は、前記所定条件が成立した際であって前記当否判定手段が当否判定を行う前に、当該当否判定の内容を事前判定するものとされ、
前記特定演出態様判定手段は、前記事前判定手段による事前判定に基づいて前記特定演出態様を実行するかどうかを決定することを特徴とする請求項１又は請求項２に記載の遊技機。
【請求項４】
前記特定演出態様を実行した場合において、前記事前判定手段による事前判定の対象となる前記識別情報の変動表示が実行されるまでを前記非移行期間とすることを特徴とする請求項３に記載の遊技機。
【請求項５】
前記特定演出態様を実行した場合において、前記事前判定手段による事前判定の対象となる前記識別情報の変動表示が終了した後を、前記移行期間とすることを特徴とする請求項３又は請求項４に記載の遊技機。
【請求項６】
遊技演出の演出態様として、第１演出態様と第２特定演出態様とを有し、
前記移行期間において、前記移行判定手段が演出態様を前記第１演出態様に移行すると判定した場合、前記第１演出態様を実行して前記移行期間を終了し、
前記移行期間において、前記移行判定手段が演出態様を前記第２特定演出態様に移行すると判定した場合、前記第２特定演出態様を実行して前記移行期間を継続することを特徴とする請求項１乃至請求項５の何れか一項に記載の遊技機。
【手続補正２】
【補正対象書類名】明細書
【補正対象項目名】０００８
【補正方法】変更
【補正の内容】
【０００８】
これにより、特定演出態様の実行中において、非移行期間は特定演出態様の実行を確実に確保することを可能とすると共に、移行期間は移行判定によって特定演出態様を継続又は移行とすることで、特定演出態様の移行タイミングを多様化することを可能とする。またこれにより、特定演出態様の実行時期を遊技者が予測困難となり、特定演出態様の継続による期待感を高め、遊技興趣を高めることが可能となる。
また、第２発明の遊技機は、第１発明の遊技機において、
前記特定演出態様を実行後の所定期間は、移行判定を行わない非移行期間とされ、
前記非移行期間の経過後は、移行判定を行う移行期間とされることを特徴とするものである。
このような遊技機によれば、特定演出態様実行後の所定期間は移行判定を行わない非移行期間とされ、非移行期間経過後は移行判定を行う移行期間とされ、移行期間においては移行判定で移行すると判定した場合は他の演出態様に移行し、移行判定で移行すると判定しない場合は特定演出態様を継続するものとしている。これにより、特定演出態様の実行時期を遊技者が予測困難となり、特定演出態様の継続による期待感を高め、遊技興趣を高めることが可能となる。
また、第３発明の遊技機は、第１発明又は第２発明の遊技機において、
所定条件の成立に基づいて取得した取得情報を、保留として記憶可能な取得情報記憶手段と、
前記所定条件の成立に基づいて当否判定を行う当否判定手段と、
前記所定条件の成立に基づいて事前判定を行う事前判定手段と、備え、
前記特別遊技実行手段は、前記当否判定手段による当否判定の結果が当りであると前記特別遊技を実行するものであって、
前記当否判定手段は、前記識別情報の変動表示を行う際に前記取得情報についての当否判定を行うものとされ、
前記事前判定手段は、前記所定条件が成立した際であって前記当否判定手段が当否判定を行う前に、当該当否判定の内容を事前判定するものとされ、
前記特定演出態様判定手段は、前記事前判定手段による事前判定に基づいて前記特定演出態様を実行するかどうかを決定することを特徴とするものである。
このような遊技機によれば、識別情報の変動表示を行う際に当否判定を行う当否判定手段と、始動口に入球した際であって当否判定を行う前に当該当否判定の内容を事前判定する事前判定手段と、を備えている。そして、特定演出態様判定手段は、事前判定手段による事前判定に基づいて特定演出態様を実行するかどうかを決定するものとしている。これにより、特定演出態様の実行によって当否判定の内容を事前に報知することが可能となる。またこれにより、特定演出態様の実行に対する期待感を高め、遊技興趣を高めることを可能とする。
また、第４発明の遊技機は、第３発明の遊技機において、
前記特定演出態様を実行した場合において、前記事前判定手段による事前判定の対象となる前記識別情報の変動表示が実行されるまでを前記非移行期間とすることを特徴とするものである。
このような遊技機によれば、特定演出態様の実行判定は、事前判定を行う際に行われ、実行判定よって特定演出態様が実行された場合には、当該事前判定の対象となる識別情報の変動表示が実行されるまでを非移行期間としている。これにより、特定演出態様の実行タイミングを事前判定の実行タイミングとし、特定演出態様の実行によって事前判定の結果、すなわち、当否判定の内容を示すことが可能となる。またこれにより、特定演出態様が実行された際の期待感を高め、遊技興趣を高めることが可能となる。また、少なくとも、事前判定の対象となる識別情報の変動表示が実行されるまでは、特定演出態様が実行されるため、この期間遊技興趣を高い状態で維持することが可能となる。
また、第５発明の遊技機は、第３発明又は第４発明の遊技機において、
前記特定演出態様を実行した場合において、前記事前判定手段による事前判定の対象となる前記識別情報の変動表示が終了した後を、前記移行期間とすることを特徴とするものである。
このような遊技機によれば、事前判定の対象となる識別情報の変動表示が終了した後を移行期間としている。これにより、事前判定の対象となる識別情報の変動表示が終了するまでは、特定演出態様を確実に実行すると共に、事前判定の対象となる識別情報の変動表示が終了した後も、移行判定によって特定演出態様を移行すると判定するまでは、当該特定演出態様を継続することを可能とする。これにより、特定演出態様の実行の契機となった事前判定の対象となる識別情報の変動表示が終了した後も、遊技者の期待感を維持し、長期間遊技興趣を高めることが可能となる。またこれにより、特定演出態様の移行タイミングを予測困難とし、遊技興趣を高めることが可能となる。また、変動表示が途切れた場合は特定演出態様を終了するものとしてもよい。
また、第６発明の遊技機は、第１発明乃至第５発明の何れかの遊技機において、
遊技演出の演出態様として、第１演出態様と第２特定演出態様とを有し、
前記移行期間において、前記移行判定手段が演出態様を前記第１演出態様に移行すると判定した場合、前記第１演出態様を実行して前記移行期間を終了し、
前記移行期間において、前記移行判定手段が演出態様を前記第２特定演出態様に移行すると判定した場合、前記第２特定演出態様を実行して前記移行期間を継続することを特徴とするものである。
このような遊技機によれば、遊技演出の演出態様として、特定演出態様の他に第１演出態様と第２特定演出態様を有し、特定演出態様を実行中の移行期間において、第１演出態様に移行すると判定した場合に移行期間を終了するものとする。そして、特定演出態様を終了し、第１演出態様を実行することとなる。一方、特定演出態様を実行中の移行期間において、第２特定演出態様に移行すると判定した場合、特定演出態様を第２特定演出態様に移行して移行期間を継続するものとする。これにより、特定演出態様において演出態様を他の特定演出態様（第２特定演出態様）に移行可能とする。これによって遊技者は、期待感が向上したと感じ、遊技興趣を高めることが可能となる。またこれにより、特定演出態様又は第２特定演出態様から第１演出態様への移行タイミングを予測困難とし、遊技興趣を高めることが可能となる。また、第１演出態様を通常演出態様ともいう。